(57)【要約】【課題】良好な装着感と聴取音声品質が得られるステレオイヤホンを提供する。【解決手段】プラグ(14)と一端側がプラグに接続されたコード(15)とコード(15)の他端側に設けられ第１のマイク(13b)を有すると共にコード(15)を第１の分岐コード(11b)及びそれより長い第２の分岐コード(12b)に分岐して延出する分岐部(13)と第１及び第２の分岐コード(11b,12b)の先端に接続され使用者(US)の両耳(ER,EL)に装着される第１及び第２のイヤホン本体部(11a,12a)と第２のマイク(16b)を有し第２の分岐コード(12b)に設けられた収音部(16)とを備える。コード(15)を使用者の前面側に位置させると共に第１及び第２のイヤホン本体部(11a,12a)を両耳(ER,EL)に装着した状態で、第２の分岐コード(12b)は首の後方側に引き回せる長さを有している。【選択図】図１
2012231371.tif 000002
【特許請求の範囲】
【請求項１】
プラグと、
一端側が前記プラグに接続されたコードと、
前記コードの他端側に設けられ、第１のマイクを有すると共に前記コードを第１の分岐コード及び前記第１の分岐コードより長い第２の分岐コードに分岐して前記プラグとは反対側から延出してなる分岐部と、
前記第１及び第２の分岐コードそれぞれの先端に接続され使用者の両耳にそれぞれ装着される第１及び第２のイヤホン本体部と、
第２のマイクを有し前記第２の分岐コードに設けられた収音部と、
を備え、
前記コードを使用者の前面側に位置させると共に前記第１及び第２のイヤホン本体部を使用者の両耳に装着した状態で、前記第２の分岐コードは、使用者の首の後方側に引き回せる長さを有しているステレオイヤホン。
【請求項２】
前記分岐部と前記第１のイヤホン本体部との間の距離と、前記収音部と前記第２のイヤホン本体部との間の距離とがほぼ等しいことを特徴とする請求項１記載のステレオイヤホン。
【請求項３】
プラグと、
一端側が前記プラグに接続された第１のコードと、
前記第１のコードの他端側に設けられた第１のイヤホン本体部と、
一端側が前記第１のイヤホン本体部に接続され他端側が第２のイヤホン本体部に接続された第２のコードと、
前記第２のコードに互いに離隔して設けられた、第１のマイクを有する第１の収音部及び第２のマイクを有する第２の収音部と、
を備え、
前記第２のコードは、前記第１及び第２のイヤホン本体部を使用者の両耳に同時に装着できる長さを有していることを特徴とするステレオイヤホン。
【請求項４】
前記第１の収音部と前記第１のイヤホン本体部との間の距離と、前記第２の収音部と前記第２のイヤホン本体部との間の距離とがほぼ等しいことを特徴とする請求項３記載のステレオイヤホン。
【請求項５】
請求項１〜４のいずれか１項に記載のステレオイヤホンと、
入力された音声信号を増幅し増幅音声信号として出力する増幅回路と、前記プラグが挿抜可能に又は一体的に接続され、前記音声信号の入力と前記増幅音声信号の出力とを行う端子部と、を有する音声増幅本体部と、
を備えた音声増幅システムであって、
前記増幅回路に入力される音声信号を前記第１及び第２のマイクから出力された音声信号とし、前記増幅回路から出力される前記増幅音声信号を前記第１及び第２のイヤホン本体部に供給するよう構成されていることを特徴とする音声増幅システム。
【発明の詳細な説明】
【技術分野】
【０００１】
本発明は、ステレオイヤホン及び音声増幅システムに係り、特に、プラグと一対のイヤホン本体部との間をつなぐコード上にマイクを有する収音部を一対備えたステレオイヤホン、及びステレオイヤホンとそのプラグが接続された音声増幅本体部とを有し一対のマイクで収音した音声信号を増幅して一対のイヤホン本体部に向け出力するよう構成された音声増幅システムに関する。
【背景技術】
【０００２】
聴力補助のために、マイクで周囲の音声を収音しその収音した音声信号を増幅してイヤホンで聴取できるように構成された装置が補聴器や集音器として販売されている。
具体例として、マイク及びそのマイクからの音声信号を増幅する回路を備えた音声増幅本体部と、音声増幅本体部に接続するためのコード及びそのコードを介して音声増幅本体部から供給された増幅音声信号を音声として出力するイヤホン本体部を有するイヤホン部と、を備えたいわゆるポケット型音声増幅器がある。
以下、コードが音声増幅本体部に接続されてイヤホン部と音声増幅本体部とが一体化した形態を音声増幅システムと称する。
【０００３】
例えば、イヤホン部が音声増幅本体部に着脱可能に一体化されたポケット型音声増幅器システムが特許文献１に開示されている。
このシステムは、音声増幅本体部が一対のマイクを備え、各マイクで収音した周囲の音声をそれぞれ増幅する機能を有し、イヤホン部が、左耳用イヤホン本体部及び右耳用イヤホン本体部と、各イヤホン本体部から延出して音声増幅本体部に接続するコードと、を備えて構成されている。
【０００４】
また、一般的には、イヤホン部として、音声増幅本体部に接続される側の一本のコードから分岐した二つのコードの先端に、左耳用イヤホン本体部と右耳用イヤホン本体部とをそれぞれ配置してなるいわゆるステレオイヤホンが知られている。
【先行技術文献】
【特許文献】
【０００５】
【特許文献１】特開２００９−２９０３８３号公報
【発明の概要】
【発明が解決しようとする課題】
【０００６】
ところで、周囲の音声を音の入来方向の判別を含め臨場感良好に聴取するためには、左用と右用との独立したマイクを備えると共にその配設位置をできるだけ左右それぞれの耳の近傍にすることが望まれる。
そのため、左右それぞれの耳に装着する各イヤホン本体部にスピーカと共にマイクを内蔵することが検討されるものの、マイクで収音した周囲の音声が増幅されてその直近のスピーカから放出されるため、ハウリングを生じ易い、あるいは放出音声の周波数特性にピークが生じるなど、聴取音声の品質の向上を妨げる現象が起きやすくその改善も難しいという問題があった。
【０００７】
この問題に対し、マイクをイヤホン本体部に内蔵せず、イヤホン本体部と音声増幅本体部との間のコード上に配設することも検討されている。
しかしながら、本来軽量であるべきコードがマイクの配設により重くなり、イヤホン本体部を耳に装着した状態でその重くなっているコードが耳から垂れ下がるために良好な装着感が得にくいこと、また、使用状態において音声増幅本体部をベルトやポケット等に保持させた場合に、音声増幅本体部からイヤホン本体部迄のコードの位置が安定せず、衣服との擦れ音が収音され易く聴取音声の品質が低下する場合があること、など改善すべき項目が多くある。
【０００８】
そこで、本発明が解決しようとする課題は、コード上にマイクを配設してあっても、良好な装着感が得られ、良好な聴取音声品質が得られるステレオイヤホン及び音声増幅システムを提供することにある。
【課題を解決するための手段】
【０００９】
上記の課題を解決するために、本願発明は手段として次の構成を有する。
１）  プラグ(14)と、一端側が前記プラグ(14)に接続されたコード(15)と、前記コード(15)の他端側に設けられ、第１のマイク(13b)を有すると共に前記コード(15)を第１の分岐コード(11b)及び前記第１の分岐コード(11b)より長い第２の分岐コード(12b)に分岐して前記プラグ(14)とは反対側から延出してなる分岐部(13)と、前記第１及び第２の分岐コード(11b,12b)それぞれの先端に接続され使用者(US)の両耳(ER,EL)にそれぞれ装着される第１及び第２のイヤホン本体部(11a,12a)と、第２のマイク(16b)を有し前記第２の分岐コード(12b)に設けられた収音部(16)と、を備え、
前記コードを使用者(US)の前面側に位置させると共に前記第１及び第２のイヤホン本体部(11a,12a)を使用者(US)の両耳(ER,EL)に装着した状態で、前記第２の分岐コード(12b)は、使用者(US)の首(US2)の後方側に引き回せる長さを有しているステレオイヤホンである。
２）  前記分岐部(13)と前記第１のイヤホン本体部(11a)との間の距離(L13c)と、前記収音部(16)と前記第２のイヤホン本体部(12a)との間の距離(L16c)とがほぼ等しいことを特徴とする１）に記載のステレオイヤホン(1)である。
３）  プラグ(74)と、一端側が前記プラグ(74)に接続された第１のコード(75)と、  前記第１のコード(75)の他端側に設けられた第１のイヤホン本体部(71a)と、一端側が前記第１のイヤホン本体部(71a)に接続され他端側が第２のイヤホン本体部(72a)に接続された第２のコード(72b)と、前記第２のコード(72b)に互いに離隔して設けられた、第１のマイク(73b)を有する第１の収音部(73)及び第２のマイク(76b)を有する第２の収音部(76)と、を備え、
前記第２のコード(72b)は、前記第１及び第２のイヤホン本体部(71a,72a)を使用者の両耳に同時に装着できる長さを有していることを特徴とするステレオイヤホンである。
４）  前記第１の収音部(73)と前記第１のイヤホン本体部(71a)との間の距離(L73c)と、前記第２の収音部(76)と前記第２のイヤホン本体部(72a)との間の距離(L76c)とがほぼ等しいことを特徴とする３）に記載のステレオイヤホン(7)である。
５）  １）〜４）のいずれか一つに記載のステレオイヤホン(1,7)と、入力された音声信号を増幅し増幅音声信号として出力する増幅回路(2b1)と、前記プラグ(74)が挿抜可能に又は一体的に接続され、前記音声信号の入力と前記増幅音声信号の出力とを行う端子部(2f)と、を有する音声増幅本体部(2)と、を備えた音声増幅システムであって、
前記増幅回路(2b1)に入力される音声信号を前記第１及び第２のマイク(13b,16b)（73b,76b））から出力された音声信号とし、前記増幅回路(2b1)から出力される前記増幅音声信号を前記第１及び第２のイヤホン本体部(11a,12a) (71a,72a)に供給するよう構成されていることを特徴とする音声増幅システム(50)である。
【発明の効果】
【００１０】
本発明によれば、コード上にマイクを配設してあっても、装着感が良好で、聴取音声品質が良好である、という効果が得られる。
【図面の簡単な説明】
【００１１】
【図１】本発明の音声増幅システムの実施例を説明するための図である。
【図２】本発明のステレオイヤホンの実施例における要部を説明するための断面図である。
【図３】本発明のステレオイヤホンの実施例における他の要部を説明するための断面図である。
【図４】本発明の音声増幅システムの実施例における使用形態を説明するための図である。
【図５】本発明のステレオイヤホンの他の実施例を説明するための図である。
【図６】本発明のステレオイヤホンの他の実施例における要部を説明するための断面図である。
【図７】本発明のステレオイヤホンの他の実施例における他の要部を説明するための断面図である。
【図８】本発明のステレオイヤホンの他の実施例における別の要部を説明するための模式的断面図である。
【図９】本発明の音声増幅システムの他の実施例における使用形態を説明するための図である。
【図１０】本発明のステレオイヤホンの実施例における変形例を説明するための断面図である。
【発明を実施するための形態】
【００１２】
本発明の実施の形態を、好ましい実施例により図１〜図１０を用いて説明する。
【００１３】
図１は、本発明の音声増幅システムの実施例を示す外観斜視図である。
実施例の音声増幅システム５０は、ステレオイヤホンであるイヤホン部１と音声増幅本体部２とを有して構成されている。
概略この音声増幅システム５０は、イヤホン部１がスピーカ（図示せず）を有するイヤホン本体部１１ａ，１２ａとマイク１３ｂ，１６ｂとを備え、マイク１３ｂ，１６ｂで収音した音声信号を音声増幅本体部２で所定量増幅してイヤホン本体部１１ａ，１２ａのスピーカから音声として出力することができるものである。
【００１４】
まず、イヤホン部１について詳述する。
イヤホン部１は、右左の耳それぞれに装着されるイヤホン本体部１１ａ，１２ａと、イヤホン本体部１１ａ，１２ａそれぞれから延出する分岐コード１１ｂ，１２ｂと、分岐コード１１ｂと分岐コード１２ｂとの分岐の基となる分岐部１３と、音声増幅本体部２の端子部２ｆに接続されるプラグ１４と、プラグ１４と分岐部１３との間をつなぐ基本コード１５と、分岐コード１２ｂの途中に設けられた収音部１６と、を備えて構成されている。
【００１５】
イヤホン本体部１１ａ，１２ａは、それぞれスピーカ（図１には図示せず）を内蔵し、イヤホン本体部１１ａ，１２ａが耳に装着された際に外耳道内に音声を放出することができる。
【００１６】
図１及び図２に示されるように、分岐部１３は、樹脂製のケース１３ａとその内部空間Ｖ１３に収納されたマイク１３ｂとを備えている。ケース１３ａには貫通孔として収音孔１３ｃが形成されており、マイク１３ｂは収音孔１３ｃを介して周囲の音声を収音し、音声信号を出力する。従って、分岐部１３は収音部としても機能する。
ケース１３ａの一端部（図１，図２の下方端）からは基本コード１５が延出し、他端側となる端部１３ａ１（図１，図２の上方端）からは分岐コード１１ｂと分岐コード１２ｂとが延出している。
この端部１３ａ１が分岐コード１１ｂと分岐コード１２ｂとの分岐点となる。
従って、分岐部１３は基本コード１５に配設されている。
図２に示されるように、マイク１３ｂと収音孔１３ｃとの間に、不織布などで形成された音質調整用のフィルタ１３ｄを配設してもよい。
【００１７】
図１及び図３に示されるように、収音部１６は、分岐部１３とほぼ同じ形状のケース１６ａとその内部空間Ｖ１６に収納されたマイク１６ｂとを備えている。ケース１６ａには貫通孔として収音孔１６ｃが形成されており、マイク１６ｂは収音孔１６ｃを介して周囲の音声を収音し、音声信号を出力する。
また、図３に示されるように、マイク１６ｂと収音孔１６ｃとの間に、不織布などで形成された音質調整用のフィルタ１６ｄを配設してもよい。
【００１８】
分岐コード１２ｂは、その途中に収音部１６が設けられていることからケース１６ａと分岐部１３との間は、イヤホン本体部１２ａに供給する出力信号線１２ｂａ（図３参照）とマイク１６ｂから出力された音声信号をプラグ１４に向けて供給する入力信号線１６ｂｂ（図３参照）とを複合した複合コード１２ｂ１とされている。
ケース１６ａとイヤホン本体部１２ａとの間は、出力信号線１２ｂａのみの単コード１２ｂ２とされている。
【００１９】
一方、分岐コード１１ｂは、イヤホン本体部１１ａへ供給する出力信号線１１ｂａのみのコードとされている。
【００２０】
基本コード１５は、イヤホン本体部１１ａ及びイヤホン本体部１２ａそれぞれに供給する二つの出力信号線１１ｂａ，１２ｂａと、分岐部１３及び収音部１６からの二つの入力信号線１３ｂｂ，１６ｂｂと、を有する複合コードとされている。
従って、プラグ１４とプラグ１４が着脱される端子部２ｆ（詳細は後述）とは、出力信号と入力信号とのグランドラインを共通とした場合に、少なくとも５つの端子を有しそれぞれ独立して信号を授受できるようになっている。なお、プラグ１４と端子部２ｆとは着脱できないように一体に構成されていてもよい。
【００２１】
分岐コード１１ｂと分岐コード１２ｂとは、異なる長さとされている。
具体的には、図１に示されるように、分岐部１３のケース１３ａの端部１３ａ１からイヤホン本体部１１ａまでの距離Ｌ１１と、端部１３ａ１からイヤホン本体部１２ａまでの距離Ｌ１２とが異なり、Ｌ１１＜Ｌ１２とされている。
ここでは、イヤホン本体部１１ａ，１２ａの基準位置を、それらが耳に装着された際の外耳道の天地方向センターに対応する基準位置ＣＬ１１，ＣＬ１２とする（天地方向は図１及び図２の上下方向である）。
この形態は、いわゆるＵ字型コードと称されるもので、各イヤホン本体部１１ａ，１２ａを耳に装着する際に、イヤホン部１における長い方の分岐コード１２ｂを首の後ろ側に回し肩に乗るように装着する（以下、首掛け装着とも称する）ことができる形態である。
ここで、分岐コード１２ｂは、基本コード１５をユーザの身体の前面側に位置させると共に、イヤホン本体部１１ａ，１２ａをユーザの両耳に装着した状態でユーザの首の後方側に引き回せる長さを有している。
Ｌ１１及びＬ１２は、例えば、Ｌ１１＝２０〜１５０ｍｍ，Ｌ１２＝３００〜５００ｍｍとすると、特に良好な感触の首掛け装着ができる。
【００２２】
実施例において、短い方の分岐コード１１ｂと基本コード１５とを合わせた長さは、イヤホン本体部１１ａを耳に装着し、分岐コード１１ｂ及び基本コード１５を自然に垂らした状態で、プラグ１４が腰に達する程度とされている。
また、この長さは、例えば音声増幅本体部２を胸ポケットに収める形態の場合はプラグ１４が胸元に達する程度とされていればよい。
【００２３】
イヤホン部１において、収音孔１３ｃと収音孔１６ｃとの位置は次のように設定されている。
すなわち、分岐コード１１ｂ，１２ｂをまっすぐ伸ばした状態で、収音孔１３ｃ，１６ｃと基準位置ＣＬ１１，ＣＬ１２との間の距離をそれぞれＬ１３ｃ，Ｌ１６ｃとしたときに、距離Ｌ１３ｃと距離Ｌ１６ｃとがほぼ等しくなっている。
距離Ｌ１３ｃとＬ１６ｃとは、イヤホン部１の使用状態で、収音孔１３ｃ，１６ｃがそれぞれ耳と概ね肩との間に位置するように設定されている。
【００２４】
次に音声増幅本体部２について詳述する。
図１において、音声増幅本体部２は、樹脂製の筐体２ａと、筐体２ａの内部に収納された回路基板２ｂ及び電源部２ｃと、外部からスライド操作可能な電源スイッチ２ｄと、電源ＯＮ時に外部から視認可能なＬＥＤなどによるインジケータ２ｅと、外部との間で信号授受をするための端子部２ｆと、音量調整のためのボリューム２ｇと、を有して構成されている。電源部２ｃは、例えば単４型の乾電池又は充電池である。
また、筐体２ａの裏面側（図１の紙面裏側）には、ベルトやポケットに保持され得るようにクリップ（図示せず）が設けられている。
【００２５】
端子部２ｆは、一対の出力信号ライン，一対の入力信号ライン，及び各信号共通のグランドライン、の５つの信号ラインを独立して接続できるようになっている。
回路基板２ｂは、電源部２ｃを電源として電源スイッチ２ｄの操作でオンオフされる周知の音声信号増幅回路２ｂ１を搭載している。
【００２６】
この音声信号増幅回路によって、音声増幅本体部２は、電源オン状態で、端子部２ｆから入来した入力信号をボリューム２ｇで調整される増幅率で増幅し、端子部２ｆから出力信号として出力するよう構成されている。
【００２７】
図４（ａ）〜（ｃ）は、実施例の音声増幅システム５０を使用者であるユーザＵＳが使用している状態を説明する図である。
図４（ａ）は、直立したユーザＵＳを正面から見た図であり、図４（ｂ）は左手側から見た図であり、図４（ｃ）は後方から見た図である。
【００２８】
図４（ａ）〜（ｃ）に示されるように、音声増幅システム５０は、イヤホン本体部１１ａを右耳に、イヤホン本体部１２ａを左耳に装着し、音声増幅本体部２をその裏面側に設けたクリップによってベルトＵＳ１に保持させて使用される。
その際、収音部１６と分岐部１３との間の複合コード１２ｂ１を首ＵＳ２の後方側に引き回して首掛け装着とする。
【００２９】
この使用状態で、イヤホン部１について、距離Ｌ１３ｃと距離Ｌ１６ｃとがほぼ等しくなるように設定すると、収音部１６の収音孔１６ｃの位置と、分岐部１３の収音孔１３ｃの位置とは、それぞれ左耳ＥＬ，右耳ＥＲの外耳道から地面に向けてほぼ同じ距離だけ隔てた所にある。
従って、スピーカがマイクの直近にないのでハウリングや周波数特性上のピークが生じにくくなっており、距離Ｌ１３ｃと距離１６ｃとをほぼ同じ距離とすると、収音する左右の音声が実際に耳で聞く音声と近似してよりバランスよく収音されるので、良好な臨場感で音声が聴取できる。
【００３０】
また、分岐コード１１ｂ，１２ｂの内の長い方の分岐コード１２ｂは、首ＵＳ２の後ろ側に回り込むように引き回された状態で首の根本や肩の上で支えられるようなコード長とされている。
これにより、分岐部１３にマイク１３ｂを設けてあっても、また、収音部１６を分岐コード１２ｂ上に設けてあっても、増加したマイク１３ｂ，１６ｂ等の質量の一部を首や肩で支えることができる。
従って、イヤホン部１は、装着状態においてイヤホン本体部１１ａ，１２ａで増加質量の全部を支えることがない。
よって、イヤホン部１の装着感は軽く良好なものとなっている。
【００３１】
また、分岐コード１２ｂが、首ＵＳ２の後ろ側に回り込むように引き回されて首の根本や肩の上で支えられているので、分岐コード１１ｂ，１２ｂ及び基本コード１５の身体に対する位置が安定する。
従って、各コード１１ｂ，１２ｂ，１５、分岐部１３、又は収音部１６が衣服と擦れる頻度が減少して擦れ音が発生し難くなっている。
また、首や肩に分岐コード１２ｂが接触していることから、その接触位置よりもプラグ１４側のコードに触れても振動が良好に吸収され、タッチノイズが低減する。
また、収音部１６の位置が大きくは変化しないので、口元との距離が概ね一定に保たれ、自分の声の大きさが収音部１６の位置の変化によって大きく変動することがなく聴取音声が聞き取り易い。
よって、聴取音声の品質低下を抑制することができる。
【００３２】
この位置の安定により、収音孔１３ｃ，１６ｃの位置も安定しピークやハウリングを生じ易い周波数が特定できる。
従って、回路基板２ｂに音質補正回路を搭載した際には周波数特性の補正が行い易くなっている。
よって、ピークやハウリングの発生を抑制して聴取音声の品質低下を良好に抑制することができる。
【００３３】
また、図４（ｂ）に示されるように、分岐コード１２ｂが首ＵＳ２の後ろ側に回り込むように引き回されているので、使用状態における収音部１６の前後方向位置は、外耳道の前後方向のセンタの鉛直線である基準線ＣＬ３に対して後方側〔図４（ｂ）における矢印ＤＢ側〕にある。分岐部１３も同様で、その前後方向位置は、外耳道の前後センタの鉛直線である基準線ＣＬ３に対して後方側にある。
すなわち、分岐コード１１ｂ、１２ｂを耳から体の前面側に垂れ下がるように装着した場合と比較して、収音孔１３ｃ，１６ｃの位置が口からより遠くなるので、自分の声をマイク１３ｂ，１６ｂで収音し難くなっている。
これにより、増幅不要な自分の声が過度に大きくなってしまうことがなく、
聴取音声の品質を良好に維持することができる。
また、顔が下を向いた状態（頭部が斜め前に傾斜した状態）においても、分岐コード１２ｂが首ＵＳ２の後ろ側に回り込むように引き回されていることから、収音部１６は、コード１２ｂに支持され重力に抗して顔の前方に移動し難くなっている。すなわち口元に接近し難くなっている。
これにより、項垂れた状態において収音部１６が口元に近づき難いので自分の声が過度に大きくなり難く、聴取音声の品質を良好に維持することができる。
【００３４】
＜他の実施例＞
図５に、本発明のステレオイヤホンにおける他の実施例としてイヤホン部７を示す。
イヤホン部７は、イヤホン部１に対し、分岐部１３が無く一方のイヤホン本体から他方のイヤホン本体部へ向かうコードが導出されているものである。
【００３５】
図５において、イヤホン部７は、右左の耳それぞれに装着されるイヤホン本体部７１ａ，７２ａと、イヤホン本体部７１ａとイヤホン本体部７２ａとを繋ぐコード７２ｂと、イヤホン本体部７１ａから延出し先端に音声増幅本体部２の端子部２ｆに接続されるプラグ７４を有する基本コード７５と、コード７２ｂ上に互い離隔すると共に各イヤホン本体部７１ａ，７２ａとも離隔して配設された二つの収音部７３，７６と、を備えて構成されている。
コード７２ｂは、イヤホン本体部７２ａと収音部７６との間，収音部７６と収音部７３との間，及び収音部７３とイヤホン本体部７１ａとの間の三つの部分で構成され、それぞれ先端側コード部７２ｂ２，収音部間コード部７２ｂ１，及び根本側コード部７２ｂ３と称する。
【００３６】
イヤホン本体部７１ａ，７２ａは、それぞれスピーカ（図５には図示せず）を内蔵し、イヤホン本体部７１ａ，７２ａが耳に装着された際に外耳道内に音声を放出することができる。
【００３７】
図５及び図６に示されるように、収音部７６は、ケース７６ａとその内部空間Ｖ７６に収納されたマイク７６ｂ（図６参照）とを備えている。ケース７６ａには貫通孔として収音孔７６ｃが形成されており、マイク７６ｂは収音孔７６ｃを介して周囲の音声を収音し、音声信号を出力する。
また、図３に示されるように、マイク７６ｂと収音孔７６ｃとの間に、不織布などで形成された音質調整用のフィルタ７６ｄを配設してもよい。
【００３８】
また、コード７２ｂは、その途中にこの収音部７６と収音部７３が設けられていることから、ケース７６ａの一端側から収音部７３との間は、イヤホン本体部７２ａに供給する出力信号線７２ｂａとマイク７６ｂから出力された音声信号をプラグ７４に向けて供給する入力信号線７６ｂｂとを複合した複合コード７２ｂ１とされている。
一方、ケース７６ａの他端側からイヤホン本体部７２ａに向けての先端側コード部７２ｂ２は出力信号線７２ｂａのみのコード７２ｂ２とされている。
【００３９】
図５及び図７に示されるように、収音部７３は、樹脂製のケース７３ａとその内部空間Ｖ７３に収納されたマイク７３ｂとを備えている。ケース７３ａには貫通孔として収音孔７３ｃが形成されており、マイク７３ｂは収音孔７３ｃを介して周囲の音声を収音し、音声信号を出力する。
ケース７３ａの一端側（図７の下方端側）から根本側コード部７２ｂ３が延出し、他端側から収音部間コード部７２ｂ１が延出している。
図７に示されるように、マイク７３ｂと収音孔７３ｃとの間に、不織布などで形成された音質調整用のフィルタ７３ｄを配設してもよい。
【００４０】
図８は、イヤホン本体部７１ａの構造を示す模式的断面図である。
イヤホン本体部７１ａは、ハウジング７１ａ１と、ハウジング７１ａ１に取り付けられ外部に突出する二つの筒状部ＢＳ１，ＢＳ２を有するブッシング７１ａ２と、ハウジング７１ａ１の内部に収納されたスピーカ７１ａ３と、を有して構成されている。
ハウジング７１ａ１は例えば合成樹脂材で形成され、ブッシング７１ａ２は例えばシリコーンゴムで形成されている。
筒状部ＢＳ１には、根本側コード部７２ｂ３が挿通され、ハウジング７１ａ１側の内側において折り返して筒状部ＢＳ２を通して外部に延出している。
一方、スピーカ７１ａ３に出力音声を供給する出力信号線７１ｂａは、先端側がスピーカ７１ａ３に接続され、ブッシング７１ａ２内で根本側コード部７２ｂ３と一体化し基本コード７５として外部に延出している。
基本コード７５は、図５に示されるように、先端側がプラグ７４に接続されている。
【００４１】
このように構成されたイヤホン部７において、収音孔７３ｃと収音孔７６ｃの位置は次のように設定されている。
すなわち、図５に示されるように、イヤホン本体部７１ａ，７２ａの基準位置を、それらが耳に装着された際の外耳道の天地方向センターに対応する基準位置ＣＬ７１，ＣＬ７２とし、先端側コード部７２ｂ２及び根本側コード部７２ｂ３をまっすぐ伸ばした状態で、収音孔７３ｃ，７６ｃと基準位置ＣＬ７１，ＣＬ７２との間の距離をそれぞれＬ７３ｃ，Ｌ７６ｃとしたときに、Ｌ７３ｃとＬ７６ｃとがほぼ等しくなっている。
距離Ｌ７３ｃとＬ７６ｃとは、イヤホン部７の使用状態で、収音孔７３ｃ，７６ｃがそれぞれ耳と概ね肩との間に位置するように設定されている。
また、イヤホン本体部７１ａとイヤホン本体部７２ａ間のコード７２ｂの長さは、コード７２ｂを首の後ろに引き回して各イヤホン本体部７１ａ，７２ａを耳に同時に装着できる長さに設定されている。
【００４２】
図９（ａ）〜（ｃ）は、他の実施例であるイヤホン部７と音声増幅本体部２とを含んでなる音声増幅システム５１をユーザＵＳが使用している状態を説明する図である。
図９（ａ）は、直立したユーザＵＳを正面から見た図であり、図９（ｂ）は左手側から見た図であり、図９（ｃ）は後方から見た図である。
【００４３】
図９（ａ）〜（ｃ）に示されるように、音声増幅システム５１は、イヤホン本体部７１ａを右耳に、イヤホン本体部７２ａを左耳に装着し、音声増幅本体部２は、その裏面側に設けたクリップによってベルトＵＳ１に保持させて使用される。
その際、イヤホン本体部７１ａとイヤホン本体部７２ａとの間を繋ぐコード７２ｂを首ＵＳ２の後方側に引き回して首掛け装着とする。
【００４４】
この使用状態で、イヤホン部７については、距離Ｌ７３ｃと距離Ｌ７６ｃとがほぼ等しくなるように設定すると、収音部７６の収音孔７６ｃの位置と、分岐部７３の収音孔７３ｃの位置とは、それぞれ左耳ＥＬ，右耳ＥＲの外耳道から地面に向けてほぼ同じ距離だけ隔てた所にある。
従って、スピーカがマイクの直近にないのでハウリングや周波数特性上のピークが生じにくくなっており、距離Ｌ７３ｃと距離７６ｃとをほぼ同じ距離とすると、収音する左右の音声が実際に耳で聞く音声と近似してよりバランスよく収音されるので、良好な臨場感で音声が聴取できる。
【００４５】
また、コード７２ｂは、首ＵＳ２の後ろ側に回り込むように引き回された状態で首の根本や肩の上で支えられるようなコード長にされている。
これにより、二つの収音部７３，７６をコード７２上に設けてあっても、増加したマイク等の質量の一部を首や肩で支えることができる。
従って、イヤホン部７は、装着状態においてイヤホン本体部７１ａ，７２ａで増加質量の全部を支えることがない。
よって、イヤホン部７の装着感は軽い良好なものとなっている。
【００４６】
また、コード７２ｂが、首ＵＳ２の後ろ側に回り込むように引き回されて首の根本や肩の上で支えられているので、コード７２ｂの身体に対する位置が安定する。
従って、コード７２ｂやそれに配設された収音部７３，７６が衣服と擦れる頻度が減少して擦れ音が発生し難くなっている。
また、収音部７３，７６がコード７２ｂに設けられていることから、基本コード７５に指などが触れてもそれに伴う振動がイヤホン本体部７１ａで遮断されるので、タッチノイズが増幅され難くなっている。
また、収音部７３,７６の位置が大きくは変化しないので、口元との距離が概ね一定に保たれ、自分の声の大きさが収音部７３，７６の位置の変化によって大きく変動することがなく聴取音声がより聞き取り易くなっている。
よって、聴取音声の品質低下を抑制することができる。
【００４７】
この位置の安定により、収音孔７３ｃ，７６ｃの位置も安定しピークやハウリングを生じ易い周波数が特定できる。
従って、回路基板２ｂに音質補正回路を搭載した際には周波数特性の補正が行い易くなっている。
よって、ピークやハウリングの発生を抑制して聴取音声の品質低下を良好に抑制することができる。
【００４８】
また、図９（ｂ）に示されるように、コード７２ｂが首ＵＳ２の後ろ側に回り込むように引き回されているので、顔がまっすぐ前を向いた状態（頭部が直立している状態）での装着状態における収音部７３と収音部７６との前後方向位置は、共に外耳道の前後センタの鉛直線である基準線ＣＬ７３に対して後方側〔図９（ｂ）における矢印ＤＢ側〕にある。
すなわち、コード７２ｂを首ＵＳ２の後ろ側に回り込むように引き回すことができるので、収音孔７３ｃ，７６ｃの位置を口からより遠くして、自分の声をマイク７３ｂ，７６ｂで収音し難くすることができる。
これにより、増幅不要な自分の声が過度に大きくなることはなく、聴取音声の品質を良好に維持することができる。
また、顔が下を向いた状態（頭部が斜め前に傾斜した状態）においても、コード７２ｂが首ＵＳ２の後ろ側に回り込むように引き回されていることから、収音部７３と収音部７６とは両方共、コード７２ｂに支持され重力に抗して顔の前方に移動し難くなっている。すなわち口元に接近し難くなっている。
これにより、項垂れた状態においても自分の声が過度に大きくなることはなく、聴取音声の品質を極めて良好に維持することができる。
【００４９】
いずれの実施例においても、一方の耳に装着されるイヤホン本体部は、他方の耳側から首掛け装着により首の後ろに引き回されるコードの先端に設けられており、一方の収音部が首の後ろに引き回されるコードの途中に設けられると共に他方の収音部が首の後ろに引き回されるコードの途中か、又はそのコードの分岐点よりもプラグ側に位置するように構成されている。
【００５０】
本発明の実施例は、上述した構成及び手順に限定されるものではなく、本発明の要旨を逸脱しない範囲において変形例としてもよいのは言うまでもない。
各実施例では、右耳側に分岐部１３またはコード７２ｂが延出するイヤホン本体部がある例を説明したが、これらは左耳側にあるものでもよい。
また、各実施例では、一対のマイクからの各入力信号と一対のスピーカユニットへの各出力信号とのグランドラインを共通にした合計５つ信号線を有するものを説明したが、各入力信号線と各出力信号線とのグランドラインを独立させた６つの信号線を有するものであってもよい。
また、すべてのグランドラインを独立させた８つの信号線を有するものであってもよい。
【００５１】
（変形例）
各実施例において、出力信号線１１ｂａ，１２ｂａ，７１ｂａ，７２ｂａ及び入力信号線１３ｂｂ，７６ｂｂは、それぞれ２芯線として説明したが、これに限るものではない。
例えば、基本コード１５，７５を８芯線とし、分岐コード１１ｂを２芯線とし、分岐コード１２ｂについては、分岐部１３と収音部１６との間を４芯線とし、収音部１６とイヤホン本体部１２ａとの間を２芯線としてもよい。
同様に、コード７２ｂについては、イヤホン本体部７１ａと収音部７３との間を６芯線とし、収音部７３と収音部７６との間を４芯線とし、収音部７６とイヤホン本体部７２ａとの間を２芯線としてもよい。
【００５２】
図１０は、この変形例における、収音部１６の内部の配線状態を説明するための断面図である。
この変形例では、ケース１６ａと分岐部１３との間は、イヤホン本体部１２ａに供給する出力信号線である２本の芯線Ｓ１ｈ，Ｓ１ｃと、マイク１６ｂから出力された音声信号をプラグ１４に向けて供給する入力信号線である２本の芯線Ｓ２ｈ，Ｓ２ｃとの４本の芯線を有するコードＳ１２ｂ１とされている。
また、ケース１６ａとイヤホン本体部１２ａとの間は、出力信号線である２本の芯線Ｓ１ｈ，Ｓ１ｃのみを有するコードＳ１２ｂ２とされている。
コードＳ１２ｂ１，Ｓ１２ｂ２の先端にはそれぞれブッシングＢＳＧ１，ＢＳＧ２が形成され、ケース１６ａの両端部に固定されている。
同様に、実施例における分岐部１３、並びに、他の実施例におけるイヤホン本体部７１ａ，収音部７３，及び収音部７６についても、各芯線が露出した状態で選択分岐されている。
【符号の説明】
【００５３】
１，７  イヤホン部（ステレオイヤホン）
２  音声増幅本体部
２ａ  筐体
２ｂ  回路基板
２ｂ１  増幅回路
２ｃ  電源部
２ｄ  電源スイッチ
２ｅ  インジケータ
２ｆ  端子部
２ｇ  ボリューム
１１ａ，１２ａ，７１ａ，７２ａ  イヤホン本体部
１１ｂ，１２ｂ  分岐コード
１１ｂａ，１２ｂａ，７１ｂａ，７２ｂａ  出力信号線
１２ｂ１，７２ｂ１  複合コード
１２ｂ２  単コード
１３  分岐部
１３ａ，７３ａ  ケース
１３ａ１  端部
１３ｂ，７３ｂ  マイク
１３ｂｂ，７６ｂｂ  入力信号線
１３ｃ，７３ｃ  収音孔
１３ｄ，７３ｄ  フィルタ
１４，７４  プラグ
１５，７５  基本コード
１６，７３，７６  収音部
１６ａ，７６ａ  ケース
１６ｂ，７６ｂ  マイク
１６ｂｂ  入力信号線
１６ｃ，７６ｃ  収音孔
１６ｄ，７６ｄ  フィルタ
５０，５１  音声増幅システム
７１ａ１  ハウジング
７１ａ２  ブッシング
７１ａ３  スピーカ
７２ｂ  コード
７２ｂ１  収音部間コード部
７２ｂ２  先端側コード部
７２ｂ３  根本側コード部
ＢＳ１，ＢＳ２  筒状部
ＣＬ１，ＣＬ２，ＣＬ７１，ＣＬ７２  基準位置
ＣＬ３，ＣＬ７３  基準線
ＥＬ  左耳
ＥＲ  右耳
Ｌ１３ｃ，Ｌ１６ｃ，Ｌ７３ｃ，Ｌ７６ｃ  距離
Ｖ１３，Ｖ１６，Ｖ７３，Ｖ７６  内部空間
【図１】
2012231371.tif 000003
【図２】
2012231371.tif 000004
【図３】
2012231371.tif 000005
【図４】
2012231371.tif 000006
【図５】
2012231371.tif 000007
【図６】
2012231371.tif 000008
【図７】
2012231371.tif 000009
【図８】
2012231371.tif 000010
【図９】
2012231371.tif 000011
【図１０】
2012231371.tif 000012